(57)【要約】【課題】太陽電池のパッケージ構造を提供する。【解決手段】太陽電池のパッケージ構造はソーラーチップを置放する承載ベース、一対の正負極導電フレーム、及び、外層パッケージ体からなる。外層パッケージ体は、太陽光を集中させ、且つ、自身が抗反射光の功能を有して、太陽光の集光効率を増加し、この構造はソーラーチップの受光量を増加する。このような太陽電池のパッケージ構造は、製造コストが低く、且つ、使用者の需要に応じて必要な形状と大きさに設計できる。【選択図】図２A
2007258297.tif 000002
【特許請求の範囲】
【請求項１】
集光型ソーラーチップパッケージ構造であって、
ソーラーチップと、
前記ソーラーチップを承載するヘッダーと、
前記ソーラーチップに電気的に接続される複数の導電連接構造と、
前記ソーラーチップ、前記ヘッダー、前記導電連接構造をパッケージし、太陽光を集中させると共に、抗反射構造を有して、太陽光を受光するパッケージ体と、
からなることを特徴とする集光型ソーラーチップパッケージ構造。
【請求項２】
前記パッケージ体は、プラスチック射出成型で製作されることを特徴とする請求項１に記載の集光型ソーラーチップパッケージ構造。
【請求項３】
前記パッケージ体は、鋳造により製作されることを特徴とする請求項１に記載の集光型ソーラーチップパッケージ構造。
【請求項４】
前記パッケージ体は、エポキシ樹脂が充填されることを特徴とする請求項１に記載の集光型ソーラーチップパッケージ構造。
【請求項５】
ピン式パッケージ構造を含むことを特徴とする請求項１に記載の集光型ソーラーチップパッケージ構造。
【請求項６】
二列挿入式パッケージ構造を含むことを特徴とする請求項１に記載の集光型ソーラーチップパッケージ構造。
【請求項７】
表面実装構造を含むことを特徴とする請求項１に記載の集光型ソーラーチップパッケージ構造。
【請求項８】
TO-Cansパッケージ構造を含むことを特徴とする請求項１に記載の集光型ソーラーチップパッケージ構造。
【請求項９】
前記導電連接構造は、前記パッケージ外に延伸する複数の電源ピンを有することを特徴とする請求項１に記載の集光型ソーラーチップパッケージ構造。
【請求項１０】
前記パッケージ体は、透明のカバーであることを特徴とする請求項１に記載の集光型ソーラーチップパッケージ構造。
【請求項１１】
前記本体部分は、中空管であることを特徴とする請求項１に記載の集光型ソーラーチップパッケージ構造。
【請求項１２】
前記ソーラーチップは、単結晶シリコンソーラーチップであることを特徴とする請求項１に記載の集光型ソーラーチップパッケージ構造。
【請求項１３】
前記ソーラーチップは、ポリシリコンソーラーチップであることを特徴とする請求項１に記載の集光型ソーラーチップパッケージ構造。
【請求項１４】
前記ソーラーチップは、アモルファスシリコンソーラーチップであることを特徴とする請求項１に記載の集光型ソーラーチップパッケージ構造。
【請求項１５】
前記ソーラーチップは、ガリウム砒素ソーラーチップであることを特徴とする請求項１に記載の集光型ソーラーチップパッケージ構造。
【請求項１６】
前記ソーラーチップは、太陽光を吸収するチップであることを特徴とする請求項１に記載の集光型ソーラーチップパッケージ構造。
【請求項１７】
前記ソーラーチップの正負電極は、前記ソーラーチップの同一側に位置することを特徴とする請求項１に記載の集光型ソーラーチップパッケージ構造。
【請求項１８】
前記ソーラーチップの正負電極は、前記ソーラーチップの異なる両側に位置することを特徴とする請求項１に記載の集光型ソーラーチップパッケージ構造。
【請求項１９】
前記ピンをアレイ方式に製造することを特徴とする請求項１に記載の集光型ソーラーチップパッケージ構造。
【請求項２０】
前記パッケージ体をアレイ方式に製造することを特徴とする請求項１に記載の集光型ソーラーチップパッケージ構造。
【発明の詳細な説明】
【技術分野】
【０００１】
本発明は、集光できる太陽電池のパッケージ構造であって、特に、任意のアレイ組み立てに適合する太陽電池のパッケージ構造に関するものである。
【背景技術】
【０００２】
太陽電池は、光起電力効果（photovoltaic effect）を利用し、太陽エネルギーを電気エネルギーに転化するものである。図１は、公知の太陽電池１０５の構造を示す図であり、ｎ型半導体層１１０、ｐ型半導体層１１２、抗反射層と二つの電極１１４、１１６を有し、光子が太陽電池１０５表面に衝突する時、ｎ型半導体１１０とｐ型半導体１１２の接合面は電子拡散を有し、電流は上下両端の電極１１４、１１６を利用し、電流を引き出して利用する。一般に、太陽電池１０５は、大きい受光面積を有して効率を向上させるか、或いは、集光装置、例えば、レンズなどを利用して光線収集の効果を達成する。しかし、大面積の集光素子の製造、及び、任意の尺寸の組み立ては容易ではなく、歩留まり率が向上しにくいので、コストが増加する。よって、容易に製作、組み立てができる集光型太陽電池を発展させることが重要な課題である。
【発明の開示】
【発明が解決しようとする課題】
【０００３】
上述の問題を解決するため、本発明は、集光型太陽電池のパッケージ構造を提供し、現有の発光素子のパッケージ製造工程を利用し、集光型太陽電池のパッケージを簡潔にすることを目的とする。
【０００４】
本発明は、更に、現有の発光素子の引導架、及び、エポキシ樹脂のパッケージ構造を利用し、太陽電池をパッケージして、太陽電池モジュールのパッケージを簡潔にし、いかなる尺寸にも調整できるようにすることをもう一つの目的とする。
【課題を解決するための手段】
【０００５】
上述の目的を達成するため、本発明は、高集光型太陽電池のパッケージ構造を提供し、ソーラーチップと、ソーラーチップを承載するヘッダーとからなる。複数の導電連接構造は、太陽電池を電気的に接続し、且つ、パッケージ体は、太陽電池チップ、ヘッダー、導電連接構造の一部分をパッケージし、パッケージ体は太陽光を集光させる設計と反射材料により、受光する太陽光の量を増加する。
【発明の効果】
【０００６】
本発明の集光型太陽電池のパッケージ構造は、現有の発光素子のパッケージ製造工程を利用し、集光型太陽電池のパッケージを簡潔にすることができ、更に、いかなる尺寸にも調整できる。
【発明を実施するための最良の形態】
【０００７】
図２Aは、本発明の実施例によるソーラーチップのパッケージ構造を示す図である。ソーラーチップピン式パッケージ構造１０は、ヘッダー１４、ソーラーチップ１２、パッケージ体１８、及び、複数の導電連接構造１６、を有する。実施例中、ヘッダー１４は、ソーラーチップ１２を承載し、その材料は銅、鉄の導電金属である。次に、ソーラーチップ１２、例えば、単結晶シリコン、ガリウム砒素ソーラーチップ、ポリシリコンソーラーチップ、アモルファスシリコンソーラーチップ、或いは、ガリウム砒素ソーラーチップで、適当な方式で、ヘッダー１４の表面上に固定し、これに限定されないが、例えば、粘着層（図示しない）を利用して固定する。ソーラーチップ１２自身は、ｎ型半導体層（一層、或いは、多層）、ｐ型半導体層（一層、或いは、多層）、吸収層と二つの導電電極からなり、二つの導電電極は、それぞれ、相異する導電連接構造１６に電気的に接続され、本実施例中、正負両導電電極はソーラーチップ１２の相異両側に位置し、もう一つの実施例で、正負両導電電極はソーラーチップ１２の相同側に位置する。注意すべきことは、ソーラーチップ１２は、更に他の構造、例えば、ガラス基板、バリア層等を含むことができることである。更に、内ピン１３と１９は、導電電極を外ピン１５と１１に電気的に接続し、外ピン１１と１５は、外部構造(図示しない)と固定、組み立て、電気的接続すると共に、電源ピンとし、ソーラーチップピン式パッケージ構造１０の幾何形状上の適当な位置に分布し、これに限定されないが、例えば、ソーラーチップ１２の側辺、或いは、下方に分布する。
【０００８】
次に、パッケージ体１８、例えば、エポキシ樹脂は、ソーラーチップ１２と内ピン１３をパッケージして、上述の構造を保護すると共に、太陽光を集中させる。好ましい実施例中、パッケージ体１８自身が抗反射層となって、パッケージ構造１０に進入する太陽光を増加する。更に、パッケージ体１８は、形成材料の性質により各種幾何形状に形成できる故、四面八方から射入する太陽光を受光できる。上述によると、ソーラーチップピン式パッケージ構造１０は、静止固定できる位置で、四面八方から射入する太陽光を受光し、公知のソーラーチップの組み立てが、太陽位置変化によってソーラー板位置を変動させて、入射する太陽光量を増加させなければならない問題を解決する。次に、ソーラーチップピン式パッケージ構造１０の製作は、一般に発光ダイオードによりパッケージを実行し、別途にモジュールや機械を準備しなくてもよい。更に、ソーラーチップピン式パッケージ構造１０の組み立ては、発光ダイオード組み立て方式を利用し、よって、必要に応じて適当な面積、或いは、大面積、いかなる幾何形状のソーラーセルシステムを組み立てることができる。
【０００９】
図３Ａと図３Ｂは、本発明のもう一つの実施例によるソーラーチップのパッケージ構造を示す図である。ソーラーチップピン式パッケージ構造と類似し、ソーラーチップ表面実装装置（Surface Mount Diode, SMD）２０は、ヘッダー１４、ソーラーチップ１２、パッケージ体、及び、複数の導電連接構造１６からなり、導電連接構造１６はソーラーチップ１２の同一側、或いは、異なる側の正負導電電極と連接される。異なるのは、外ピン１１と１５は、ソーラーチップ１２の側辺に向かって延伸し、ソーラーチップ表面実装構造２０は扁平な幾何外形を有することである。理解できるように、外ピン１１と１５の露出接点は表面実装の方式で外部素子上に固定される。次に、パッケージ体は抗反射の透明材料を有して、ソーラーチップ表面実装構造２０に進入する太陽光の量を増加することができる。
【００１０】
図４Ａと図４Ｂは、本発明のもう一つの実施例によるソーラーチップのパッケージ構造を示す図である。ソーラーチップのトランジスタの外囲器（Transistor Outline、TO）-CANsパッケージ構造３０はTOヘッダー（TO  header）１４、ソーラーチップ１２、TOパッケージ体（TO  body）１８、からなる。実施例中、ソーラーチップ１２はTOヘッダー１４上に固定されると共に、TOヘッダー１４上の内ピン１３と導電接点１７に電気的に連接される。内ピン１３と導電接点１７は、TOヘッダー１４を穿過して、外側に露出し、外ピン１５と１１となる。次に、TOパッケージ体１８は、ソーラーチップ１２を保護し、四面八方の太陽光を集中する。よって、TOパッケージ体１８の材料は、太陽光通過に適するか、或いは、抗反射材料であればよく、且つ、TOパッケージ体１８の形状は、円柱状に限らず、集光効果がある曲面を有していればよい。更に、TOヘッダー１４上に一つ、或いは、複数のソーラーチップ１２を設置することができ、設計によってはその他の功能を有するチップや素子を含んでもよい。
【００１１】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１２】
【図１】公知の太陽電池の構造図である。
【図２Ａ】本発明の実施例によるソーラーチップのパッケージ構造図である。
【図２Ｂ】本発明の実施例によるソーラーチップのパッケージ構造図である。
【図３Ａ】本発明のもう一つ実施例によるソーラーチップのパッケージ構造図である。
【図３Ｂ】本発明のもう一つ実施例によるソーラーチップのパッケージ構造図である。
【図４Ａ】本発明の更にもう一つの実施例によるソーラーチップのパッケージ構造図である。
【図４Ｂ】本発明の更にもう一つの実施例によるソーラーチップのパッケージ構造図である。
【符号の説明】
【００１３】
１０…ソーラーチップピン式パッケージ構造
１１、１５…外ピン
１２…ソーラーチップ
１３、１９…内ピン
１４…ヘッダー
１６…導電連接構造
１７…導電接点
１８…パッケージ体
２０…ソーラーチップ表面実装構造
３０…ソーラーチップＴＯ−CANｓ構造
１０５…太陽電池
１１０…ｎ型半導体層
１１２…ｐ型半導体層
１１４、１１６…電極
【図１】
2007258297.tif 000003
【図２Ａ】
2007258297.tif 000004
【図２Ｂ】
2007258297.tif 000005
【図３Ａ】
2007258297.tif 000006
【図３Ｂ】
2007258297.tif 000007
【図４Ａ】
2007258297.tif 000008
【図４Ｂ】
2007258297.tif 000009